(57)【要約】      （修正有）【課題】スイッチインダクタシステムを提供する。【解決手段】スイッチインダクタシステム２８は、入力信号を受信し、電圧出力を提供するように構成されたスイッチングレギュレータ２１０であって、スイッチングレギュレータは、少なくとも１つのスイッチと少なくとも１つのインダクタＬ１とを有する、スイッチングレギュレータと、インダクタと並列な感知回路２２０であって、感知回路は、電圧出力の交流電流成分を検出するように構成された第１のＲＣ回路２２２と、電圧出力の直流電流成分を検出するように構成された第２のＲＣ回路２２４とを含む、感知回路とを備える。【選択図】図３
2011177511.tif 000002
【特許請求の範囲】
【請求項１】
スイッチインダクタシステムであって、
入力信号を受信し、電圧出力を提供するように構成されたスイッチングレギュレータであって、該スイッチングレギュレータは、少なくとも１つのスイッチと少なくとも１つのインダクタとを有する、スイッチングレギュレータと、
該インダクタと並列な感知回路であって、該感知回路は、該電圧出力の交流電流成分を検出するように構成された第１のＲＣ回路と、該電圧出力の直流電流成分を検出するように構成された第２のＲＣ回路とを含む、感知回路と
を備えている、スイッチインダクタシステム。
【請求項２】
前記少なくとも１つのスイッチは電界効果トランジスタである、請求項１に記載のスイッチインダクタシステム。
【請求項３】
前記第１のＲＣ回路は、少なくとも１つの抵抗器と、少なくとも１つのキャパシタとを有する、請求項１に記載のスイッチインダクタシステム。
【請求項４】
前記第２のＲＣ回路は、少なくとも１つの抵抗器と、少なくとも１つのキャパシタとを有する、請求項１に記載のスイッチインダクタシステム。
【請求項５】
電気外科用発電機であって、
該電気外科用発電機の電圧出力を制御するように構成されたコントローラと、
エネルギーを出力するように構成された無線周波数出力段と
を備え、該無線周波数出力段は、
該コントローラから入力信号を受信し、電圧出力を提供するように構成されたスイッチングレギュレータであって、該スイッチングレギュレータは、少なくとも１つのスイッチと少なくとも１つのインダクタとを有する、スイッチングレギュレータと、
該インダクタと並列な感知回路であって、該感知回路は、該電圧出力の交流電流成分を検出するように構成された第１のＲＣ回路と、該電圧出力の直流電流成分を検出するように構成された第２のＲＣ回路とを含む、感知回路と
を備え、該感知回路は、該電圧出力の該交流電流成分と該電圧出力の該直流電流成分とを該コントローラに提供し、
該コントローラは、該電圧出力の該交流電流成分と該電圧出力の該直流電流成分とに基づいて、該電気外科用発電機の出力を制御する、電気外科用発電機。
【請求項６】
前記感知回路は、増幅器をさらに含み、該増幅器は、前記電圧出力の前記直流電流成分を増幅する、請求項５に記載の電気外科用発電機。
【請求項７】
前記少なくとも１つのスイッチは電界効果トランジスタである、請求項５に記載の電気外科用発電機。
【請求項８】
前記第１のＲＣ回路は、少なくとも１つの抵抗器と、少なくとも１つのキャパシタとを有する、請求項５に記載の電気外科用発電機。
【請求項９】
前記第２のＲＣ回路は、少なくとも１つの抵抗器と、少なくとも１つのキャパシタとを有する、請求項５に記載の電気外科用発電機。
【請求項１０】
インダクタにわたる電圧を検出するための無損失電流感知回路であって、該回路は、
該インダクタにわたる該電圧の交流電流成分を検出するように構成された第１のＲＣ回路と、
該インダクタにわたる該電圧の直流電流成分を検出するように構成された第２のＲＣ回路と
を備えている、無損失電流感知回路。
【請求項１１】
前記無損失電流感知回路は、増幅器をさらに含み、該増幅器は、前記インダクタにわたる電圧の前記直流電流成分を増幅する、請求項１０に記載の無損失電流感知回路。
【請求項１２】
前記第１のＲＣ回路は、少なくとも１つの抵抗器と、少なくとも１つのキャパシタとを有する、請求項１０に記載の無損失電流感知回路。
【請求項１３】
前記第２のＲＣ回路は、少なくとも１つの抵抗器と、少なくとも１つのキャパシタとを有する、請求項１０に記載の無損失電流感知回路。
【発明の詳細な説明】
【技術分野】
【０００１】
（背景）
（１．技術分野）
本開示は、概して、電気外科用手順を実行するためにエネルギーを利用する電気外科用システムに関する。より詳細には、本開示は、無損失電流感知回路を有する電気外科用発電機のためのスイッチング電源に関する。
【背景技術】
【０００２】
（２．関連技術の説明）
電気外科用発電機は、患者組織を切断し、凝結させ、乾燥させ、そして／または封止するための電気外科用器具と共に、外科医によって用いられる。例えば、無線周波数（ＲＦ）エネルギーなど、高周波数電気エネルギーは、電気外科用発電機によって生成され、電気外科用ツールによって組織に印加される。単極および双極の構成の両方とも、電気外科用手順の期間中に一般的に使用される。
【０００３】
電気外科用技術および器具は、小径の血管を凝結させるために、または、大径の脈管、もしくは、例えば肺、脳、および腸などの軟組織構造を封止するために、使用され得る。外科医は、組織を通して電極間に印加される電気外科用エネルギーの強度、周波数、および持続期間を制御することによって、出血を焼灼し、凝結／乾燥させ、そして／または、単に低減もしくは減速させる。これら所望の外科的効果を、外科部位で組織の望まれない炭化を引き起こすことなく、または、隣接組織に及ぼし得る損傷（例えば熱の拡散）を引き起こすことなく、達成するために、例えば、パワー、波形、電圧、電流、パルスレート、その他など、電気外科用発電機からの出力を制御することが必要である。
【０００４】
エネルギーは、電極に連結された電気外科用発電機によって、その電極（単数または複数）に供給される。電気外科用発電機は、ＲＦ出力を電極（単数または複数）に提供するために、スイッチインダクタシステムを含み得る。スイッチインダクタシステムは、少なくとも１つのスイッチ、少なくとも１つのダイオード、および少なくとも１つのインダクタを利用する。良好な低損失インダクタ素子が生産されるにつれ、かなりの付加的な回路網なくして、インダクタを通して電流を計測することが困難になる。付加的な回路網は、最終製品に対して、構成部品、大きさ、および電力消費を増し、それによって、無損失検出方法を有することの恩恵を相殺する。
【発明の概要】
【課題を解決するための手段】
【０００５】
本開示は、スイッチインダクタシステムに関し、該スイッチインダクタシステムは、入力信号を受信し、電圧出力を提供するように構成されたスイッチングレギュレータを含み、このスイッチングレギュレータは、１つ以上のスイッチと１つ以上のインダクタとを有する。このシステムは、また、このインダクタと並列な感知回路を含み、この感知回路は、電圧出力の交流電流成分を検出するように構成された第１のＲＣ回路と、電圧出力の直流電流成分を検出するように構成された第２のＲＣ回路とを有する。
【０００６】
１つの実施形態において、１つ以上のスイッチは電界効果トランジスタであり得る。さらに、第１のＲＣ回路および第２のＲＣ回路は、それぞれ、１つ以上の抵抗器と、１つ以上のキャパシタとを含み得る。
【０００７】
本開示の別の実施形態において、電気外科用発電機が提供される。この発電機は、電気外科用発電機の電圧出力を制御するように構成されたコントローラと、エネルギーを出力するように構成された無線周波数出力段とを含む。この無線周波数出力段は、コントローラから入力信号を受信し、電圧出力を提供するように構成されたスイッチングレギュレータを含み、このスイッチングレギュレータは、１つ以上のスイッチと１つ以上のインダクタとを有する。この無線周波数出力段は、また、インダクタと並列な感知回路を含み、この感知回路は、電圧出力の交流電流成分を検出するように構成された第１のＲＣ回路と、電圧出力の直流電流成分を検出するように構成された第２のＲＣ回路とを含む。感知回路は、電圧出力の交流電流成分と電圧出力の直流電流成分とをコントローラに提供し、コントローラは、電圧出力の交流電流成分と電圧出力の直流電流成分とに基づいて、電気外科用発電機の出力を制御する。
【０００８】
この感知回路は、電圧出力の直流電流成分を増幅する増幅器をさらに含み得る。上記１つ以上のスイッチは電界効果トランジスタであり得る。第１のＲＣ回路および第２のＲＣ回路は、それぞれ、１つ以上の抵抗器と、１つ以上のキャパシタとを含み得る。
【０００９】
本開示のなお別の実施形態において、インダクタにわたる電圧を検出するための無損失電流感知回路が提供される。無損失電流感知回路は、インダクタにわたる電圧の交流電流成分を検出するように構成された第１のＲＣ回路と、インダクタにわたる電圧の直流電流成分を検出するように構成された第２のＲＣ回路とを含む。
【００１０】
無損失感知回路は、電圧出力の直流電流成分を増幅する増幅器をさらに含み得る。第１のＲＣ回路および第２のＲＣ回路は、それぞれ、１つ以上の抵抗器と、１つ以上のキャパシタとを含み得る。
【００１１】
例えば、本発明は以下の項目を提供する。
（項目１）
スイッチインダクタシステムであって、
入力信号を受信し、電圧出力を提供するように構成されたスイッチングレギュレータであって、該スイッチングレギュレータは、少なくとも１つのスイッチと少なくとも１つのインダクタとを有する、スイッチングレギュレータと、
該インダクタと並列な感知回路であって、該感知回路は、該電圧出力の交流電流成分を検出するように構成された第１のＲＣ回路と、該電圧出力の直流電流成分を検出するように構成された第２のＲＣ回路とを含む、感知回路と
を備えている、スイッチインダクタシステム。
（項目２）
上記少なくとも１つのスイッチは電界効果トランジスタである、上記項目に記載のスイッチインダクタシステム。
（項目３）
上記第１のＲＣ回路は、少なくとも１つの抵抗器と、少なくとも１つのキャパシタとを有する、上記項目のうちのいずれか１項に記載のスイッチインダクタシステム。
（項目４）
上記第２のＲＣ回路は、少なくとも１つの抵抗器と、少なくとも１つのキャパシタとを有する、上記項目のうちのいずれか１項に記載のスイッチインダクタシステム。
（項目５）
電気外科用発電機であって、
該電気外科用発電機の電圧出力を制御するように構成されたコントローラと、
エネルギーを出力するように構成された無線周波数出力段と
を備え、該無線周波数出力段は、
該コントローラから入力信号を受信し、電圧出力を提供するように構成されたスイッチングレギュレータであって、該スイッチングレギュレータは、少なくとも１つのスイッチと少なくとも１つのインダクタとを有する、スイッチングレギュレータと、
該インダクタと並列な感知回路であって、該感知回路は、該電圧出力の交流電流成分を検出するように構成された第１のＲＣ回路と、該電圧出力の直流電流成分を検出するように構成された第２のＲＣ回路とを含む、感知回路と
を備え、該感知回路は、該電圧出力の該交流電流成分と該電圧出力の該直流電流成分とを該コントローラに提供し、
該コントローラは、該電圧出力の該交流電流成分と該電圧出力の該直流電流成分とに基づいて、該電気外科用発電機の出力を制御する、電気外科用発電機。
（項目６）
上記感知回路は、増幅器をさらに含み、該増幅器は、上記電圧出力の上記直流電流成分を増幅する、上記項目に記載の電気外科用発電機。
（項目７）
上記少なくとも１つのスイッチは電界効果トランジスタである、上記項目のうちのいずれか１項に記載の電気外科用発電機。
（項目８）
上記第１のＲＣ回路は、少なくとも１つの抵抗器と、少なくとも１つのキャパシタとを有する、上記項目のうちのいずれか１項に記載の電気外科用発電機。
（項目９）
上記第２のＲＣ回路は、少なくとも１つの抵抗器と、少なくとも１つのキャパシタとを有する、上記項目のうちのいずれか１項に記載の電気外科用発電機。
（項目１０）
インダクタにわたる電圧を検出するための無損失電流感知回路であって、該回路は、
該インダクタにわたる該電圧の交流電流成分を検出するように構成された第１のＲＣ回路と、
該インダクタにわたる該電圧の直流電流成分を検出するように構成された第２のＲＣ回路と
を備えている、無損失電流感知回路。
（項目１１）
上記無損失電流感知回路は、増幅器をさらに含み、該増幅器は、上記インダクタにわたる電圧の上記直流電流成分を増幅する上記項目に記載の無損失電流感知回路。
（項目１２）
上記第１のＲＣ回路は、少なくとも１つの抵抗器と、少なくとも１つのキャパシタとを有する、上記項目のうちのいずれか１項に記載の無損失電流感知回路。
（項目１３）
上記第２のＲＣ回路は、少なくとも１つの抵抗器と、少なくとも１つのキャパシタとを有する、上記項目のうちのいずれか１項に記載の無損失電流感知回路。
【００１２】
（摘要）
スイッチインダクタシステムが提供され、該スイッチインダクタシステムは、入力信号を受信し、電圧出力を提供するように構成されたスイッチングレギュレータを含み、このスイッチングレギュレータは、１つ以上のスイッチと１つ以上のインダクタとを有する。このシステムは、また、インダクタと並列な感知回路を含む。この感知回路は、電圧出力の交流電流成分を検出するように構成された第１のＲＣ回路と、電圧出力の直流電流成分を検出するように構成された第２のＲＣ回路とを含む。
【図面の簡単な説明】
【００１３】
本開示の様々な実施形態が図面を参照して本明細書に記載される。
【図１Ａ】図１Ａは、本開示に従う電気外科用システムの概略図である。
【図１Ｂ】図１Ｂは、本開示に従う電気外科用システムの概略図である。
【図２】図２は、本開示の実施形態に従う発電機制御システムの概略図である。
【図３】図３は、本開示の実施形態に従う図２の電源の概略図である。
【発明を実施するための形態】
【００１４】
（詳細な説明）
本開示の特定の実施形態は、以降、添付の図面を参照して記載される。しかしながら、開示される実施形態は、単に開示の例示であり、様々な形態において実施され得ることを理解されたい。周知の機能または構造は、不必要な細部において本開示を不明瞭にすることを避けるため、詳細には記載されない。したがって、本明細書において記載される、具体的な構造上および機能上の詳細は、限定的にではなく、単に、特許請求の範囲の論拠として、および、当業者が本開示を事実上あらゆる適切に詳細化した構造において様々に実施するように教示するための代表的な論拠として、解釈されるべきである。
【００１５】
図面の記載全体を通して、同一の参照番号は、類似または同一の要素を参照し得る。図面に示され、そして以下の記載全体を通して説明されるように、外科用器具上の相対的な位置決めを参照する場合に伝統的であるように、「近位」の用語は、使用者により近い、装置の端を指し、「遠位」の用語は、使用者からより遠く離れた、装置の端を指す。「医師」の用語は、本明細書に記載される実施形態の使用を含む、医療手順を実施する任意の医療専門家（例えば、医者、外科医、看護士など）を指す。
【００１６】
添付の図面を参照して以下により詳細に記載されるように、本開示は、電気外科用発電機における使用に好適なスイッチング電源のための、強化型無損失電流感知装置に向けられる。本明細書において使用される「無損失」の用語は、低損失回路を指す。無損失電流感知装置において利用される回路は、スイッチインダクタシステムにおいて、高帯域幅高精度能動増幅器（ｈｉｇｈ  ｂａｎｄｗｉｄｔｈ  ｐｒｅｃｉｓｅ  ａｃｔｉｖｅ  ａｍｐｌｉｆｉｃａｔｉｏｎ）なしに、ひいてはコスト、スペース、および電力消費を抑えた、サイクル単位の電流の簡単で高速な監視を可能にする。
【００１７】
本開示に従う発電機は、組織切除手順を含む、単極および双極の電気外科用手順を実施することが可能である。発電機は、様々な電気外科用器具（例えば、単極アクティブ電極、リターン電極、双極電気外科用鉗子、フットスイッチ、その他）とインタフェース接続するための複数の出力を含み得る。さらに、発電機は、特に、様々な電気外科的モード（例えば、切断、ブレンディング、分割、その他）および手順（例えば、単極性、双極性、脈管のシーリング）に好適な無線周波数パワーを発生するように構成された電子回路網を含む。
【００１８】
図１Ａは、本開示の一実施形態に従う単極電気外科用システムの概略図である。システムは、患者Ｐの組織を処置するための１つ以上の電極を有する、電気外科用器具２を含む。器具２は、１つ以上のアクティブ電極（例えば、電気外科用切断プローブ、切除電極（単数または複数）、その他）を含む、単極タイプの器具である。電気外科用ＲＦエネルギーは、発電機２０のアクティブ端子３０（図２）に接続された供給ライン４を介して、発電機２０によって器具２に供給され、器具２が組織を凝結させ、切除し、そして／あるいは処置することを可能にする。エネルギーは、発電機２０のリターン端子３２（図２）において、リターンライン８を介して、リターン電極６を通して発電機２０に戻る。アクティブ端子３０およびリターン端子３２は、器具２のプラグ（明示されない）およびリターン電極６とインタフェース接続するように構成されたコネクタであり、器具２のプラグおよびリターン電極６は、それぞれ、供給ライン４の端およびリターンライン８の端に配置される。
【００１９】
システムは、複数のリターン電極６を含み、これらリターン電極６は、患者Ｐとの全体の接触面積を最大化することによって組織損傷の機会を最小化するように配列される。さらに、発電機２０およびリターン電極６は、いわゆる「組織患者間」接触を監視するように構成され得、これにより、組織損傷の機会をさらに最小化するために、組織と患者の間に十分な接触が存在することを確実にする。
【００２０】
図１Ｂは、本開示に従う、双極電気外科用システムの概略図である。システムは、患者Ｐの組織を処置するための１つ以上の電極を有する、双極電気外科用鉗子１０を含む。電気外科用鉗子１０は、対向するあご部材を含み、その中に配置されたアクティブ電極１４およびリターン電極１６を有する。アクティブ電極１４およびリターン電極１６は、ケーブル１８を通して発電機２０に接続され、ケーブル１８は、アクティブ端子３０に連結された供給ライン４と、リターン端子３２に連結されたリターンライン８とを含む（図２）。電気外科用鉗子１０は、ケーブル１８の端に配置されたプラグを介して、アクティブ端子３０およびリターン端子３２（例えばピン）への接続を有するコネクタ２１で発電機２０に連結され、ここで、プラグは、供給ライン４およびリターンライン８からの接触を含む。
【００２１】
図１Ａ〜図１Ｂには明示されないが、発電機２０は、発電機２０を制御するための好適な入力制御部（例えば、ボタン、アクティベータ、スイッチ、タッチ画面、その他）のみならず、外科医に様々な出力情報（例えば、強度設定、処置完了インジケータ、その他）を提供するための１つ以上のディスプレイ画面を含む。制御部は、特定の任務（例えば、組織切除）に好適な所望の波形を実現するために、外科医がＲＦエネルギーのパワー、波形、および他のパラメータを調節することを可能にする。さらに、器具２は、発電機２０の特定の入力制御部と重複し得る、複数の入力制御部を含み得る。入力制御部を器具２に設置することにより、外科用手順の期間中に、発電機２０と相互作用する必要なく、ＲＦエネルギーパラメータのより簡単かつより速い修正が可能になる。
【００２２】
図２は、発電機２０の概略ブロック図を示し、発電機２０は、コントローラ２４と、電源２７と、ＲＦ出力段２８と、センサモジュール２２とを有する。電源２７は、ＤＣパワーをＲＦ出力段２８に提供し、ＲＦ出力段２８は、次いで、ＤＣパワーをＲＦエネルギーに変換し、そのＲＦエネルギーを器具２に送達する。コントローラ２４は、メモリ２６を有するマイクロプロセッサ２５を含み、メモリ２６は、揮発性タイプのメモリ（例えばＲＡＭ）および／または不揮発性タイプのメモリ（例えば、フラッシュ媒体、ディスク媒体、その他）であり得る。マイクロプロセッサ２５は、電源２７および／またはＲＦ出力段２８に接続された出力ポートを含み、出力ポートは、マイクロプロセッサ２５が、開制御ループ方式および／または閉制御ループ方式のいずれかに従って、発電機２０の出力を制御することを可能にする。
【００２３】
閉ループ制御方式は、概して、フィードバック制御ループを含み、フィードバック制御ループにおいて、センサモジュール２２は、フィードバックをコントローラ２４に提供する（つまり、組織インピーダンス、組織温度、出力電流および／または電圧、その他などの様々な組織パラメータを感知するための１つ以上の感知機構から得られる情報）。コントローラ２４は、次いで、電源２７および／またはＲＦ出力段２８に信号を送り、電源２７および／またはＲＦ出力段２８は、次いで、それぞれ、ＤＣ電源および／またはＲＦ電源を調節する。コントローラ２４はまた、発電機２０の入力制御部および／または器具２から入力信号を受信する。コントローラ２４は、入力信号を利用することにより、発電機２０のパワー出力を調節し、そして／または、発電機２０に対して他の制御機能を実行するように命令する。
【００２４】
マイクロプロセッサ２５は、状況に応じて、センサモジュール２２によって受信されたデータを処理するための、そして、発電機２０に制御信号を出力するための、ソフトウェア命令を実行可能である。コントローラ２４によって実行可能であるソフトウェア命令は、コントローラ２４のメモリ２６内に格納される。
【００２５】
コントローラ２４は、感知された値を処理するための、そして、制御信号を判定するための、アナログ回路網および／または論理回路網を含み得、制御信号は、マイクロプロセッサ２５よりもむしろ、またはマイクロプロセッサ２５との組み合わせにおいて、発電機２０に送られる。
【００２６】
センサモジュール２２は、例えば、組織インピーダンス、組織部位における電圧、組織部位における電流、その他など、様々な特性または状態を感知するために戦略的に位置を定められた複数のセンサ（明示されない）を含み得る。センサには、コントローラ２４に情報を送信するためのリード（またはワイヤレス）が提供される。センサモジュール２２は、制御回路網を含み得、この制御回路網は、複数のセンサから情報を受信し、その情報およびその情報源（例えば、その情報を提供する特定のセンサ）をコントローラ２４に提供する。
【００２７】
より詳細には、センサモジュール２２は、外科部位において印加される電圧および電流に関するリアルタイムの値を感知するために、リアルタイムの電圧感知システム（明示されない）と、リアルタイムの電流感知システム（明示されない）とを含み得る。さらに、外科部位において印加される電圧および電流に対するＲＭＳ値を感知および導出するために、ＲＭＳ電圧感知システム（明示されない）およびＲＭＳ電流感知システム（明示されない）が含まれ得る。
【００２８】
ＲＦ出力段は、スイッチングレギュレータとしても知られるスイッチインダクタシステム２００（図３）を含み得る。スイッチングレギュレータは、入力から出力へエネルギーを転送するために、スイッチ、インダクタおよびダイオードを使用する回路である。スイッチング回路の基本的構成部品は、ステップダウン（バック（ｂｕｃｋ））、ステップアップ（ブースト）、またはインバータ（フライバック）を形成するように配列され得る。スイッチングレギュレータは、リニアレギュレータと比べて、３つの主な利点を提示する。第１に、スイッチング効率がリニアよりも格段に良好であり得る。第２に、転送においてより少ないエネルギーしか損失しないため、構成部品はより小さく、熱的管理はより少なくて済む。第３に、スイッチングレギュレータ内のインダクタによって保存されるエネルギーは、入力よりも高められ得る出力電圧（ブースト）、または負（インバータ）に変換され得、あるいは、入力に対して電気的絶縁を提供するように変圧器を通して転送されることさえあり得る。
【００２９】
図３は、本開示の実施形態に従うスイッチインダクタシステム２００の概略図である。図３に示されるように、システム２００は、スイッチングレギュレータ２１０および感知回路２２０を有する。図３は、ステップダウンまたはバックタイプの構成を有するスイッチングレギュレータ２１０を示すが、当業者はまた、感知回路２２０をインダクタと並列に配置することによって、感知回路２２０と共に、ステップアップ（ブースト）またはインバータ（フライバック）構成を使用し得る。システム２００は、電源２７に動作可能に連結され、また電源２７によって電力供給される。システム２００はまた、コントローラ２４に動作可能に連結される。コントローラ２４は、システム２００の出力を制御するために、スイッチングレギュレータ２１０の電界効果トランジスタ（ＦＥＴ）Ｍ１およびＭ２を制御するための信号を提供する。スイッチングレギュレータ２１０はまた、インダクタＬ１を含む。インダクタＬ１は、他のインダクタよりも故障しにくい１回巻きインダクタであり得る。
【００３０】
感知回路２２０は、インダクタＬ１と並列に動作可能に連結される。感知回路２２０は、ＲＣ網を含み、このＲＣ網は、キャパシタＣ１と直列の抵抗器Ｒ１を有する第１のＲＣ回路２２２と、キャパシタＣ２と直列の抵抗器Ｒ２を有する第２のＲＣ回路２２４とを有する。サイクル単位および平均の電源電流は、抵抗器Ｒ１とキャパシタＣ１とからなる第１のＲＣ回路２２２を使用して、インダクタＬ１の固有の直列抵抗にわたる電圧を感知することによって判定され得る。インダクタＬ１にわたる電圧は、キャパシタＣ１をわたって再生される。インダクタＬ１をわたる電圧は、正確なサイクル単位の検出に対しては小さ過ぎるため、インダクタの電圧の交流電流（ＡＣ）成分を増幅するように、抵抗器Ｒ１およびキャパシタＣ１の値が修正される。例えば、Ｒ１およびＣ１の値は、キャパシタにおいてＡＣ成分を１００倍に増幅するように修正され得る。
【００３１】
第２のＲＣ回路２２４は、信号の直流電流（ＤＣ）成分を復元するために使用され得、キャパシタＣ１またはインダクタＬ１をわたって接続され得る。Ｃ２にわたる電圧は、ＡＣ成分の増幅と整合するように増幅器２３０に入力され得る。増幅されたＤＣ成分は、次いで、ＤＣオフセットを復元するためにＡＣ成分に付加され得、システムパワーを監視するためにコントローラ２４に提供される。あるいは、ＤＣ成分は、ＤＣ成分電圧をコントローラ２４または別の監視用デバイスに送られるのに適切なレベルに変換することによって、電源出力電流の計測手段を提供するように、さらに修正され得る。
【００３２】
電気外科用発電機２０の動作期間中に、インダクタＬ１は飽和し得、または、インダクタＬ１の温度が上昇し得、それによって、電圧がインダクタにわたって計測された場合に、不正確な読み取りを生じる。感知回路２２０を追加することによって、感知回路２２０のＲＣ網は、飽和または温度上昇を受けないので、より正確な計測が行なわれ得る。さらに、ＲＣ網は、キャパシタＣ１およびＣ２にわたる電圧降下をサイクル単位で計測可能であるので、パワー出力のより効率的な制御が実現され得、それによって、発電機２０をより効率的にし、そして、発電機２０によって発生する熱量を低減させる。
【００３３】
随意で、図３に示されるように、インダクタＬ１の温度を監視するために、サーミスタＴ１が、インダクタＬ１と熱的リンクを有する抵抗器Ｒ１と並列に提供され得る。サーミスタＴ１は、インダクタＬ１の温度の指標になる信号をコントローラ２４に提供し得、コントローラ２４は、次いで、インダクタＬ１の温度に基づいて、電源２７またはＲＦ出力段２８の出力を制御し得る。
【００３４】
図３は、特定の回路配置を描写するが、本開示から逸脱することなく、複数の改変がシステム２００に対してなされ得る。例えば、インダクタＬ１、抵抗器Ｒ１およびＲ２、ならびにキャパシタＣ１およびＣ２は、それぞれ、１つ以上の均等な部品によって置換され得る。また、インダクタＬ１は、可変インダクタで置換され得る一方、抵抗器Ｒ１およびＲ２は、１つ以上のポテンショメータによって置換され得、キャパシタＣ１およびＣ２は、可変キャパシタによって置換され得る。
【００３５】
前述の説明は、単に本開示の例示であることを理解されたい。本開示から逸脱することなく、様々な代替および改変が当業者によって考案され得る。したがって、本開示は、そのような代替、改変、および変形をすべて包含することを意図する。添付の図面を参照して記載された実施形態は、本開示の特定の実施例を例証するためにのみ提示されている。上述および／または添付の特許請求の範囲に記載したものから実質的に差異がない他の要素、ステップ、方法、および技術もまた、本開示の範囲内であることが意図されている。
【符号の説明】
【００３６】
２  電気外科用器具
４  供給ライン
６、１６  リターン電極
８  リターンライン
１０  双極電気外科用鉗子
１４  アクティブ電極
１８  ケーブル
２０  電気外科用発電機
２１  コネクタ
２２  センサモジュール
２４  コントローラ
２５  マイクロプロセッサ
２６  メモリ
２７  電源
２８  ＲＦ出力段
３０  アクティブ端子
３２  リターン端子
【図１Ａ】
2011177511.tif 000003
【図１Ｂ】
2011177511.tif 000004
【図２】
2011177511.tif 000005
【図３】
2011177511.tif 000006